(57)【要約】【課題】  簡単な形状の取付具を提供する。【解決手段】被取付物の取り付けられる部分である取付部分を棒状部材に取り付けるための取付具であって、板状部材の両主表面を貫通するように該棒状部材を内嵌させる貫通孔と、該板状部材の外縁における所定位置である入端部から、該板状部材の所定位置である奥端部まで連続して切り欠かれ、且つ、取付部分よりも幅が小さくされることで取付部分の入端部方向への移動を規制する移動規制部分を有する少なくとも１の切り欠き部と、を有する本体部を備えてなる、取付具である。【選択図】図１
0003154832.tif 000002
【実用新案登録請求の範囲】
【請求項１】
被取付物の取り付けられる部分である取付部分を棒状部材に取り付けるための取付具であって、
板状部材の両主表面を貫通するように該棒状部材を内嵌させる貫通孔と、
該板状部材の外縁における所定位置である入端部から、該板状部材の所定位置である奥端部まで連続して切り欠かれ、且つ、取付部分よりも幅が小さくされることで取付部分の入端部方向への移動を規制する移動規制部分を有する少なくとも１の切り欠き部と、
を有する本体部を備えてなる、取付具。
【請求項２】
前記貫通孔の内縁と前記板状部材の外縁との間を連続して分断する分断部を有するものである、請求項１に記載の取付具。
【請求項３】
前記貫通孔に内嵌される棒状部材の外面に当接し付勢する付勢部材を備えるものである、請求項１又は２に記載の取付具。
【請求項４】
前記付勢部材が、前記貫通孔の内縁に前記本体部に対して回動可能に取り付けられる舌部である、請求項３に記載の取付具。
【請求項５】
前記舌部と前記本体部とが一体に形成されるものであり、前記舌部と前記本体部との間が他の部分に比して前記回動の軸に沿って厚みが小さくされているものである、請求項４に記載の取付具。
【請求項６】
前記切り欠き部が、前記移動規制部分よりも奥端部方向に存し、前記移動規制部分の幅よりも大きな幅の、取付部分が嵌入され保持される保持部分を有するものである、請求項１乃至５のいずれか１に記載の取付具。
【請求項７】
前記切り欠き部の入端部近傍が前記板状部材の外縁に向かって幅広に形成されているものである、請求項１乃至６のいずれか１に記載の取付具。
【請求項８】
少なくとも２以上の切り欠き部を備えてなり、
前記板状部材が主表面が略円形の円盤形状を有するものであり、該略円形の中心に前記貫通孔が穿設されると共に、
該略円形の中心から略等しい中心角毎に該２以上の切り欠き部が形成されているものである、請求項１乃至７のいずれか１に記載の取付具。
【請求項９】
前記貫通孔の中心からの放射線に沿って前記切り欠き部が形成されているものである、請求項１乃至８のいずれか１に記載の取付具。
【請求項１０】
前記被取付物が気体が封入されたゴム風船であり、前記取付部分が該ゴム風船の口部を閉塞する結束部と、該ゴム風船の膨らんだ本体部と、の間の首部分である、請求項１乃至９のいずれか１に記載の取付具。
【請求項１１】
請求項１１に記載の少なくとも１の取付具と、所定の位置で支持された前記棒状部材と、少なくとも１の前記被取付物たるゴム風船と、を含んでなるゴム風船取付体。
【考案の詳細な説明】
【技術分野】
【０００１】
本考案は、取付具に関し、より詳細には、被取付物を棒状部材に取り付けるための取付具に関する。
【背景技術】
【０００２】
被取付物を棒状部材に取り付けるための取付具はこれまで様々なものが知られている（例えば、特許文献１参照）。
特許文献１の取付具は、「ラックに配線用ダクトを取り付けるための取付具であって、前記ラックの支柱に嵌合する略Ｕ字型の取付具本体と、この取付具本体の後端部に当該取付具本体と反対方向に向けて設けられており且つ配線用ダクトの係合部と係合する係合手段とを具備することを特徴とする取付具」（特許文献１、請求項２）であり、これによって取付具本体をラックの支柱に取り付けた状態で、取付具本体の係合手段に配線用ダクトの係合部を係合させることで配線用ダクトをラックの支柱に取りつけることができるというものである。
【先行技術文献】
【特許文献】
【０００３】
【特許文献１】特開２００４−１６５５０３号公報（例えば、要約、請求項２、段落番号０００１〜０００８、００１１〜００２０、第１図、第２図等）
【考案の概要】
【考案が解決しようとする課題】
【０００４】
このような特許文献１の取付具によれば、被取付物（特許文献１の配線用ダクト）を棒状部材（ラックの支柱）に取り付けることができるが、特許文献１の取付具は、配線用ダクト（被取付物）の係合部とうまく係合する複雑な形状の係合手段と、略Ｕ字型の複雑な形状の取付具本体と、を備える必要があり、このような複雑な形状の取付具はいきおい価格も高価になってしまう。
【０００５】
そこで、本考案では、簡単な形状の取付具を提供することを目的とする。
【課題を解決するための手段】
【０００６】
本考案の取付具（以下、「本取付具」という。）は、被取付物の取り付けられる部分である取付部分を棒状部材に取り付けるための取付具であって、板状部材の両主表面を貫通するように該棒状部材を内嵌させる貫通孔と、該板状部材の外縁における所定位置である入端部から、該板状部材の所定位置である奥端部まで連続して切り欠かれ、且つ、取付部分よりも幅が小さくされることで取付部分の入端部方向への移動を規制する移動規制部分を有する少なくとも１の切り欠き部と、を有する本体部を備えてなる、取付具である。
【０００７】
本取付具は、板状部材により構成される本体部を備える。
そして本体部は、棒状部材を内嵌させる貫通孔と、少なくとも１の切り欠き部と、を有する。
棒状部材を内嵌させる貫通孔は、本体部をなす板状部材の両主表面を貫通するように棒状部材を内嵌させる。
切り欠き部は、本体部をなす板状部材の外縁における所定位置である入端部から、該板状部材の所定位置である奥端部まで連続して切り欠かれることで形成されるので、該板状部材の外縁における所定位置である入端部から該板状部材の主表面に沿って奥端部まで入江状に形成される。切り欠き部は、被取付物の取り付けられる部分である取付部分の入端部方向（本体部をなす板状部材の外縁に向かう方向）への移動を規制する移動規制部分を有する。移動規制部分は、被取付物の取付部分よりも幅が小さくされることで取付部分の入端部方向への移動を規制（禁止を含む）するが、ここにいう移動規制部分の幅は、取付部分が入端部方向へ移動する際に取付部分が移動する方向に対して垂直かつ本体部をなす該板状部材の主表面に沿った切り欠き部の寸法をいう。このような切り欠き部を本体部は少なくとも１は有する（本体部が有する切り欠き部の個数は１以上であれば足り、例えば、１、２、３、４、５、６、・・・のように何ら限定されるものではない。）。
このような本取付具によれば、本体部の貫通孔に棒状部材を内嵌させることで、該棒状部材に本取付具を取り付けることができる。そして、本体部の切り欠き部の移動規制部分又は移動規制部分よりも奥端部側の部分に、被取付物の取付部分を嵌入することで、取付部分の入端部方向への移動が規制される。このため棒状部材に取り付けられた本取付具によれば、移動規制部分により切り欠き部に嵌入された取付部分が入端部方向（取付部分が本取付具から脱落する方向）へ移動することが規制されるので、被取付物の取り付けられる部分である取付部分を棒状部材に本取付具を介して取り付けることができる。なお、上述のように、本取付具は、貫通孔と切り欠き部とを有する簡単な形状の板状部材により形成される簡単な構造の本体部によって構成されるので、安価に製造することが可能である。
【０００８】
本取付具においては、前記貫通孔の内縁と前記板状部材の外縁との間を連続して分断する分断部を有するものであってもよい。
こうすることで本体部の貫通孔に棒状部材を内嵌させる際、分断部を通って貫通孔に棒状部材を内嵌させることや、貫通孔に棒状部材を内嵌させる際に貫通孔の内縁を一時的に広げることができ、それにより貫通孔に棒状部材を内嵌させやすくすることができる。
【０００９】
本取付具においては、前記貫通孔に内嵌される棒状部材の外面に当接し付勢する付勢部材を備えるもの（以下、「付勢部材具備本取付具」という。）であってもよい。
こうすることで貫通孔に内嵌された棒状部材の外面を付勢部材が付勢するので、貫通孔に内嵌された棒状部材の外面と、貫通孔の内縁と、が付勢部材の付勢力により当接することから（付勢部材が付勢する棒状部材の外面とは反対方向の棒状部材の外面と、貫通孔の内縁と、が当接する。）、貫通孔とそれに内嵌された棒状部材との間ががたつくことを防止又は減少させたり、棒状部材に本取付具を係止させることができる。
【００１０】
付勢部材具備本取付具の場合、前記付勢部材が、前記貫通孔の内縁に前記本体部に対して回動可能に取り付けられる舌部であってもよい（以下、「舌部具備本取付具」という。）。
付勢部材具備本取付具の付勢部材は、貫通孔に内嵌される棒状部材の外面に当接し該外面を付勢することができればいかなるものであってもよく何ら限定されるものではなく、例えば、スポンジ製の部材、ゴム製の部材、バネ（コイルばね、板ばね等）、貫通孔の内縁に本体部に対して回動可能に取り付けられる舌部等を例示することができる。とりわけ貫通孔の内縁に本体部に対して回動可能に取り付けられる舌部を付勢部材とすれば、板状部材により形成される平らな本体部と同様の平らな舌部が付勢部材を構成するので、付勢部材具備本取付具の小型化に資することができる。また、本体部と舌部とを１の板状部材を加工（例えば、打ち抜く）することで一体に形成することができ（それにより貫通孔中心方向に突出する舌部が形成される。）、付勢部材具備本取付具を容易に構成することができる。
【００１１】
舌部具備本取付具の場合、前記舌部と前記本体部とが一体に形成されるものであり、前記舌部と前記本体部との間が他の部分に比して前記回動の軸に沿って厚みが小さくされているものであってもよい。
こうすることで本体部と舌部とを１の板状部材を加工（例えば、打ち抜く）すること等により一体に形成し、舌部と本体部との間が他の部分に比して前記回動の軸（舌部が本体部に対して回動する軸）に沿って厚みが小さくされているので、舌部が本体部に対して円滑に回動可能な状態で貫通孔の内縁に取付けられるようにすることができる。
【００１２】
本取付具においては、前記切り欠き部が、前記移動規制部分よりも奥端部方向に存し、前記移動規制部分の幅よりも大きな幅の、取付部分が嵌入され保持される保持部分を有するものであってもよい。
こうすることで切り欠き部が有する保持部分の幅が移動規制部分の幅よりも大きくされるので、被取付物の取付部分を嵌入して保持するのに適した幅に保持部分を形成することで、保持部分に嵌入された取付部分が、保持部分よりも幅が小さい移動規制部分により入端部方向（取付部分が本取付具から脱落する方向）へ移動することを一層確実に規制するので、被取付物の取付部分を棒状部材に本取付具を介して一層確実に取り付けることができる。
【００１３】
本取付具においては、前記切り欠き部の入端部近傍が前記板状部材の外縁に向かって幅広に形成されているものであってもよい。
本体部の切り欠き部には被取付物の取付部分を嵌入するが、これは取付部分を切り欠き部の入端部側から切り欠き部へ嵌入することによって行うことができる。このため切り欠き部の入端部近傍を板状部材の外縁に向かって幅広に形成すれば、幅が広いところから次第に幅が狭くなる方向に取付部分を嵌入するので、取付部分を切り欠き部の入端部側から切り欠き部へ嵌入しやすくすることができる。
【００１４】
本取付具においては、少なくとも２以上の切り欠き部を備えてなり、前記板状部材が主表面が略円形の円盤形状を有するものであり、該略円形の中心に前記貫通孔が穿設されると共に、該略円形の中心から略等しい中心角毎に該２以上の切り欠き部が形成されているものであってもよい。
こうすることで本体部を構成する板状部材が、中心に貫通孔が穿設された円盤（主表面が円形をほぼなす板状部材）形状を有し、その円盤の中心から見た中心角が略等しい中心角毎に２以上の切り欠き部が形成されるので、貫通孔に内嵌される棒状部材の周囲にほぼ等間隔に切り欠き部が存し、本取付具を介し被取付物（取付部分）を棒状部材の周囲にほぼ等間隔で取り付けることができる。
【００１５】
本取付具においては、前記貫通孔の中心からの放射線に沿って前記切り欠き部が形成されているものであってもよい。
こうすることで本体部を構成する板状部材の外縁の入端部から、貫通孔の中心からの放射線に沿って入江状に切り欠かれて切り欠き部が形成されるので、取付部分を切り欠き部の入端部側から切り欠き部へ嵌入したり、切り欠き部へ嵌入された取付部分を入端部側へ抜き取る際に、本取付具に加わる力のベクトルが貫通孔に内嵌される棒状部材をほぼ通過し、該力が本取付具を棒状部材の回りに回動させるモーメントを生じないか減少させることができる。このためこのような取付部分の切り欠き部への嵌入作業や、切り欠き部へ嵌入された取付部分の抜き取り作業を、本取付具の不意の回動を伴うことなく容易に行うことができる。
【００１６】
本取付具においては、前記被取付物が気体が封入されたゴム風船であり、前記取付部分が該ゴム風船の口部を閉塞する結束部と、該ゴム風船の膨らんだ本体部と、の間の首部分であってもよい（以下、「ゴム風船取付本取付具」という。）。
気体が封入されたゴム風船は広告目的や装飾目的等で多用されるが、これまでゴム風船を棒状部材に取り付けることは難しいことが多く（例えば、ゴム風船を棒状部材に粘着テープで取り付けることが行われていたが、粘着テープにより美的外観が損なわれたり、粘着テープの粘着糊が棒状部材に付着するといった問題があった。）、使用が制限されることも多かった。このためゴム風船の口部を閉塞する結束部（ゴム風船に気体を吹き込む口を閉じるため結ばれた部分）と、該ゴム風船の膨らんだ本体部と、の間の首部分を取付部分として本取付具を用いてゴム風船を棒状部材に取り付けるようにすれば、問題なく容易、迅速かつ確実にゴム風船を棒状部材に取り付けることができ、気体が封入されたゴム風船の種々の用途への使用を容易ならしめる。
【００１７】
ゴム風船取付本取付具は、少なくとも１のゴム風船取付本取付具と、所定の位置で支持された前記棒状部材と、少なくとも１の前記被取付物たるゴム風船と、を含んでなるゴム風船取付体を構成するのに用いることができる。
なお、該ゴム風船取付体においては、１のゴム風船取付本取付具に複数のゴム風船を取り付けるようにしたり、１の棒状部材に複数のゴム風船取付本取付具を取り付けるようにしてもよい。
【図面の簡単な説明】
【００１８】
【図１】一例の本考案の取付具（本取付具）の斜視図である。
【図２】本取付具の平面図である。
【図３】本取付具の底面図である。
【図４】図２のＡ−Ａ断面図である。
【図５】図４のＢ−Ｂ部分の拡大断面図である。
【図６】本取付具の使用方法を説明する概略斜視図（一部省略）である。
【考案を実施するための形態】
【００１９】
本考案の実施の形態を図面を参照して詳述するが、本考案はこれに限定されるものではない。
【００２０】
図１は一例の本考案の取付具（本取付具）１１の斜視図であり、図２は本取付具１１の平面図（図１中の矢印Ｃ方向から見たところを示している。）であり、図３は本取付具１１の底面図（図１中の矢印Ｄ方向から見たところを示している。）であり、図４は図２のＡ−Ａ断面図であり、そして図５は図４のＢ−Ｂ部分の拡大断面図である。図１乃至図５を参照して本取付具１１について説明する。
本取付具１１は、一枚の薄い合成樹脂（具体的には、ポリプロピレン）製の板状部材を打ち抜くことによって形成されており、大まかには、仮想上の直線である中心軸Ｆ（図１乃至図５中には点線Ｆ又は点Ｆとして示している）を中心軸とする円盤（高さの小さい直円柱）形状を有している。
【００２１】
本取付具１１は、上述の如く、中心軸Ｆを中心とし中心軸Ｆに対して垂直な円形状（半径ｒ１。具体的には、ここではｒ１＝約５０ｍｍ）を略なす上面１３ａと、中心軸Ｆを中心とし中心軸Ｆに対して垂直な円形状（上面１３ａの半径と同じ半径ｒ１）を略なす下面１３ｂと、を有しており、高さ（中心軸Ｆ方向）Ｈが小さい（具体的にはＨ＝約１ｍｍ）中心軸Ｆを軸とする円盤（高さの小さい直円柱）形状をなしている。
本取付具１１は、上面１３ａと下面１３ｂとを貫通するように打ち抜くことで舌部２１及び本体部３１とが形成されており、詳細には、中心軸Ｆを中心とした略半円形状部分２３ａ（中心軸Ｆを中心とした半径ｒ２。具体的には、ここではｒ２＝約１２ｍｍ）と、略半円形状部分２３ａの両端から互いに略平行にのびる一対の線分部分２３ｂ、２３ｂ（一対の線分部分２３ｂ、２３ｂの長さはいずれも約１５ｍｍで略等しい）と、を打ち抜き切断することで本体部３１と一体に舌部２１を形成している。そして、舌部２１の基端（略半円形状部分２３ａとは反対側の端）の上面１３ａには、舌部２１と本体部３１との境に沿って溝部２５が形成されている。溝部２５は上面１３ａ側から型押しされることで線分（一対の線分部分２３ｂ、２３ｂの端部を結ぶ線分）に沿って形成される深さ約０．１ｍｍ程度の凹条（断面は略半円状）である。なお、この溝部２５は、本体部３１に対して舌部２１を回動しやすくするために形成されている。
また、中心軸Ｆから上面１３ａ上に描かれる放射線（上面１３ａに存し、一端が中心軸Ｆに存する線分）のうち一対の線分部分２３ｂ、２３ｂに略平行なものに沿って、一端２７ａが略半円形状部分２３ａから他端２７ｂが上面１３ａの外周まで上面１３ａと下面１３ｂとを貫通するように打ち抜かれることで、本体部３１に対して舌部２１を回動させた際に本体部３１の中心部分に生じる貫通孔（図１〜図５中では、舌部２１が存する部分）へ棒状部材（不図示）を本体部３１の外周面３２から嵌入する際に用いられる分断部２７が形成されている（分断部２７と略半円形状部分２３ａと一対の線分部分２３ｂ、２３ｂとは一緒に打ち抜かれて形成されている。）。
【００２２】
本取付具１１には、中心軸Ｆに対して等しい中心角Ｊ（ここでは具体的には約１２０度）毎に３個の切り欠き部３３が形成されている。
３個の切り欠き部３３はいずれも同様の構造であり、中心軸Ｆを中心とした半径ｒ３（具体的には、ここではｒ３＝約２７ｍｍ。勿論、ｒ２＜ｒ３＜ｒ１）の上面１３ａ上に描かれる円周上に存する点を中心とした円形部分３３ｂと、中心軸Ｆから上面１３ａ上に描かれる放射線のうち円形部分３３ｂの中心である該点と本体部３１の外周面３２とを結ぶ線に沿って形成されたスリット部分３３ａと、を一体に打ち抜かれて形成されている。
３個の切り欠き部３３のスリット部分３３ａの長手方向に沿った直線は中心軸Ｆに略直交し、それらが形成する中心軸Ｆ回りの中心角Ｊはいずれも等しい（ここでは約１２０度）。
また、３個の切り欠き部３３のうち１の切り欠き部３３は、そのスリット部分３３ａが一対の線分部分２３ｂ、２３ｂに略平行に形成されている（該１の切り欠き部３３のスリット部分３３ａと分断部２７とは一直線上に略存する。）。
【００２３】
図６は、本取付具１１の使用方法を説明する概略斜視図（一部省略）である。図６を参照して、本取付具１１の使用方法について説明する。
図６の本取付具１１は、所定の位置で支持された棒状部材１０１（円柱のポール）に、空気（気体）が封入されたゴム風船２０１を取り付けるために用いられており、本取付具１１と棒状部材１０１とゴム風船２０１とを含んだゴム風船取付体３０１が構成されている。棒状部材１０１は、その下端（不図示）が床面（不図示）に載置された基礎部（不図示）に固定されることで所定の位置で支持されている。
この棒状部材１０１に本取付具１１を取り付けるが、具体的には、本体部３１に対して舌部２１を回動（ここでは舌部２１が下面１３ｂ方向に突出するよう回動させる）させ、本体部３１の中心部分に貫通孔３１ｈを形成する。そして本体部３１の中心部分の貫通孔３１ｈへ棒状部材１０１を本体部３１の外周面３２から分断部２７を経て嵌入する（本体部３１を含む本取付具１１を構成する板状部材は可撓性を有する柔軟なものである。）。
そして、気体が封入されたゴム風船２０１の口部（不図示）を閉塞する結束部（不図示）と、ゴム風船２０１の膨らんだ本体部２０３と、の間の首部分２０５を円形部分３３ｂに嵌入することで、ゴム風船２０１を本取付具１１によって棒状部材１０１に取り付ける。
以上のようにして、本取付具１１と棒状部材１０１とゴム風船２０１とを含んだゴム風船取付体３０１が構成される。なお、ここでは図示及び説明を容易にするために１の棒状部材１０１に１の本取付具１１を取り付け、そして１の本取付具１１に１のゴム風船２０１を取り付けたところを例示したが、これに制限されるものではなく、例えば、１の本取付具１１に複数のゴム風船２０１を取り付けるようにしたり、１の棒状部材１０１に複数の本取付具１１を取り付けるようにしてもよい。
【００２４】
以上説明したように本取付具１１は、被取付物（ここではゴム風船２０１）の取り付けられる部分である取付部分（ここではゴム風船２０１の首部分２０５）を棒状部材１０１に取り付けるための取付具であって、板状部材の両主表面（上面１３ａ、下面１３ｂ）を貫通するように該棒状部材１０１を内嵌させる貫通孔３１ｈと、該板状部材の外縁（ここでは外周面３２）における所定位置である入端部（スリット部分３３ａの外周面３２側の端部）から、該板状部材の所定位置である奥端部（スリット部分３３ａとは反対側の円形部分３３ｂの部分。中心軸Ｆに最も近い円形部分３３ｂの部分。）まで連続して切り欠かれ、且つ、取付部分（ゴム風船２０１の首部分２０５）よりも幅が小さくされることで取付部分（ゴム風船２０１の首部分２０５）の入端部（スリット部分３３ａの外周面３２側の端部）方向への移動を規制（ここでは禁止）する移動規制部分（ここではスリット部分３３ａ）を有する少なくとも１（ここでは３）の切り欠き部３３と、を有する本体部３１を備えてなる、取付具である。
【００２５】
本取付具１１においては、前記貫通孔３１ｈの内縁と前記板状部材の外縁（外周面３２）との間を連続して分断する分断部２７を有するものである。
本取付具１１においては、前記貫通孔３１ｈに内嵌される棒状部材１０１の外面に当接し付勢する付勢部材（ここでは舌部２１）を備えるものである。
加えて、本取付具１１においては、前記付勢部材が、前記貫通孔３１ｈの内縁に前記本体部３１に対して回動可能に取り付けられる舌部２１である。
そして、前記舌部２１と前記本体部３１とが一体に形成されるものであり、前記舌部２１と前記本体部３１との間が他の部分に比して前記回動の軸に沿って厚みが小さく（溝部２５）されているものである。
本取付具１１においては、前記切り欠き部３３が、前記移動規制部分（スリット部分３３ａ）よりも奥端部（中心軸Ｆに最も近い円形部分３３ｂの部分）方向に存し、前記移動規制部分（スリット部分３３ａ）の幅よりも大きな幅の、取付部分（ゴム風船２０１の首部分２０５）が嵌入され保持される保持部分（円形部分３３ｂ）を有するものである。
本取付具１１においては、前記切り欠き部３３の入端部（スリット部分３３ａの外周面３２側の端部）近傍が前記板状部材の外縁（外周面３２）に向かって幅広（ここでは円弧状）に形成されているものである。
【００２６】
本取付具１１においては、少なくとも２以上（ここでは３）の切り欠き部３３を備えてなり、前記板状部材が主表面（上面１３ａ、下面１３ｂ）が略円形の円盤形状を有するものであり、該略円形の中心に前記貫通孔３１ｈが穿設されると共に、該略円形の中心から略等しい中心角Ｊ（ここでは約１２０度）毎に該２以上の切り欠き部３３が形成されているものである。
そして本取付具１１においては、前記貫通孔３１ｈの中心からの放射線に沿って前記切り欠き部３３（特に、切り欠き部３３のスリット部分３３ａは該放射線に沿っている。）が形成されているものである。
ここの本取付具１１においては、前記被取付物が気体が封入されたゴム風船２０１であり、前記取付部分（ゴム風船２０１の首部分２０５）が該ゴム風船２０１の口部を閉塞する結束部と、該ゴム風船２０１の膨らんだ本体部２０３と、の間の首部分２０５である。
図６に示した本取付具１１は、少なくとも１の本取付具１１と、所定の位置で支持された前記棒状部材１０１と、少なくとも１の前記被取付物たるゴム風船２０１と、を含んでなるゴム風船取付体３０１を構成するために用いられている。
【符号の説明】
【００２７】
１１            本取付具
１３ａ          上面
１３ｂ          下面
２１            舌部
２３ａ          略半円形状部分
２３ｂ、２３ｂ  線分部分
２５            溝部
２７            分断部
２７ａ          一端
２７ｂ          他端
３１            本体部
３１ｈ          貫通孔
３２            外周面
３３            切り欠き部
３３ａ          スリット部分
３３ｂ          円形部分
１０１            棒状部材
２０１            ゴム風船
２０３            本体部
２０５            首部分
３０１            ゴム風船取付体
【図１】
0003154832.tif 000003
【図２】
0003154832.tif 000004
【図３】
0003154832.tif 000005
【図４】
0003154832.tif 000006
【図５】
0003154832.tif 000007
【図６】
0003154832.tif 000008
【手続補正書】
【提出日】平成21年8月14日(2009.8.14)
【手続補正１】
【補正対象書類名】実用新案登録請求の範囲
【補正対象項目名】請求項１１
【補正方法】変更
【補正の内容】
【請求項１１】
請求項１０に記載の少なくとも１の取付具と、所定の位置で支持された前記棒状部材と、少なくとも１の前記被取付物たるゴム風船と、を含んでなるゴム風船取付体。